(57)【要約】【目的】迅速な補正を行う。【構成】画像データがウェーブレット変換回路１においてウェーブレット変換される。ウェーブレット変換された高周波画像データが，シャープネス補正回路２においてシャープネス補正される。低周波画像データが色補正回路３において色補正され，明るさ補正回路４において明るさ補正される。補正された高周波画像データおよび低周波画像データが逆ウェーブレット変換される。画像データのすべてに一律に補正処理を行わないので迅速な処理を実現できる。【選択図】  図１
2004153473.tif 000002
【特許請求の範囲】
【請求項１】
分割後の画像データのデータ量が分割前の画像データのデータ量以下となるサブバンド分割を，与えられる画像データについて行うサブバンド分割手段，
上記サブバンド分割手段によりサブバンド分割された画像データのうち相対的に高周波の画像データについて第１の画像補正を行う第１の画像補正手段，
上記サブバンド分割手段によりサブバンド分割された画像データのうち相対的に低周波の画像データについて上記第１の画像補正手段における第１の画像補正と異なる第２の画像補正を行う第２の画像補正手段，および
上記第１の画像補正手段によって画像補正された画像データと上記第２の画像補正手段によって画像補正された画像データとについて上記サブバンド分割手段におけるサブバンド分割に対応するサブバンド合成を行うサブバンド合成手段，
を備えた画像データ補正装置。
【請求項２】
上記第１の画像補正手段における上記第１の画像補正または上記第２画像補正手段における上記第２の画像補正を停止する補正停止制御手段をさらに備えた請求項１に記載の画像データ補正装置。
【請求項３】
上記第１の画像補正手段が，高周波の画像データにシャープネス補正を行うシャープネス補正手段である，
請求項１に記載の画像データ補正装置。
【請求項４】
上記第２の画像補正手段が，低周波の画像データに明るさ補正および色補正の少なくとも一方を行うものである，
請求項１に記載の画像データ補正装置。
【請求項５】
分割後の画像データのデータ量が分割前の画像データのデータ量以下となるサブバンド分割を，与えられる画像データについて行うサブバンド分割手段，
上記サブバンド分割手段によりサブバンド分割された相対的に高周波の画像データまたは相対的に低周波の画像データについて画像補正を行う画像補正手段，および
上記画像補正手段によって画像補正された画像データについて上記サブバンド分割手段におけるサブバンド分割に対応するサブバンド合成を行うサブバンド合成手段，
を備えた画像データ補正装置。
【請求項６】
上記サブバンド分割手段が，分割後の画像データのデータ量が分割前の画像データのデータ量と等しくなるサブバンド分割を，与えられる画像データについて行なうものである，請求項１または５に記載の画像データ補正装置。
【請求項７】
分割後の画像データのデータ量が分割前の画像データのデータ量以下となるサブバンド分割を，与えられる画像データについて行い，
サブバンド分割された画像データのうち相対的に高周波の画像データについて第１の画像補正を行い，
サブバンド分割された画像データのうち相対的に低周波の画像データについて上記第１の画像補正と異なる第２の画像補正を行い，
上記第１の画像補正された画像データと上記第２の画像補正された画像データとについて上記サブバンド分割に対応するサブバンド合成を行う，
画像データ補正方法。
【請求項８】
分割後の画像データのデータ量が分割前の画像データのデータ量以下となるサブバンド分割を，与えられる画像データについて行い，
サブバンド分割された相対的に高周波の画像データまたは相対的に低周波の画像データについて画像補正を行い，
画像補正された画像データについて上記サブバンド分割に対応するサブバンド合成を行う，
画像データ補正方法。
【請求項９】
上記サブバンド分割が，分割後の画像データのデータ量が分割前の画像データのデータ量と等しくなるサブバンド分割を，与えられる画像データについて行なうものである，請求項７または８に記載の画像データ補正方法。
【発明の詳細な説明】
【０００１】
【技術分野】
この発明は，画像データ補正装置および方法に関する。
【０００２】
【発明の背景】
画像の画質を向上させるために，明るさ補正，色補正，シャープネス補正などの画像補正が行われる（例えば，特許文献１）。しかしながら，与えられる画像データのすべてについて同じ画像補正を行うと，必ずしも適正な画像補正が行われないことがある。
【０００３】
【特許文献１】
特開平９−１３０６０９号
【０００４】
【発明の開示】
この発明は，比較的適正な画像補正を行うことを特徴とする。
【０００５】
第１の発明による画像データ補正装置は，分割後の画像データのデータ量が分割前の画像データのデータ量以下となるサブバンド分割を，与えられる画像データについて行うサブバンド分割（周波数変換）手段，上記サブバンド分割手段によりサブバンド分割された画像データのうち相対的に高周波の画像データについて第１の画像補正を行う第１の画像補正手段，上記サブバンド分割手段によりサブバンド分割された画像データのうち相対的に低周波の画像データについて上記第１の画像補正手段における第１の画像補正と異なる第２の画像補正を行う第２の画像補正手段，および上記第１の画像補正手段によって画像補正された画像データと上記第２の画像補正手段によって画像補正された画像データとについて上記サブバンド分割手段におけるサブバンド分割に対応するサブバンド合成を行うサブバンド合成（周波数逆変換）手段を備えていることを特徴とする。
【０００６】
第１の発明は，上記画像データ補正装置に適した方法も提供している。すなわち，この方法は，分割後の画像データのデータ量が分割前の画像データのデータ量以下となるサブバンド分割を，与えられる画像データについて行い，サブバンド分割された画像データのうち相対的に高周波の画像データについて第１の画像補正を行い，サブバンド分割された画像データのうち相対的に低周波の画像データについて上記第１の画像補正と異なる第２の画像補正を行い，上記第１の画像補正された画像データと上記第２の画像補正された画像データとについて上記サブバンド分割に対応するサブバンド合成を行うものである。
【０００７】
第１の発明によると，分割後の画像データのデータ量が分割前の画像データのデータ量以下となるサブバンド分割（変換前後でデータ量が変わらないサブバンド分割も含む）が行われる。サブバンド分割された画像データのうち，相対的に高周波の画像データについては第１の画像補正が行われ，相対的に低周波の画像データについては第１の画像補正と異なる第２の画像補正が行われる。第１の画像補正が行われた画像データと第２の画像補正が行われた画像データとについてサブバンド合成が行われる。
【０００８】
第１の発明によると，相対的に高周波の画像データには第１の画像補正が行われ，相対的に低周波の画像データには第２の画像補正が行われる。高周波の画像データに適した第１の画像補正と低周波の画像データに適した第２の画像補正とを行うことができる。
【０００９】
上記第１の画像補正手段における上記第１の画像補正または上記第２画像補正手段における上記第２の画像補正を停止する補正停止制御手段をさらに備えるようにしてもよい。
【００１０】
第１の画像補正または第２の画像補正の一方が行われるので，与えられる画像データのすべてについて画像補正する場合に比べて迅速に画像補正処理を終了することができる。
【００１１】
上記第１の画像補正手段は，たとえば，高周波の画像データにシャープネス補正を行うシャープネス補正手段である。
【００１２】
上記第２の画像補正手段は，たとえば，低周波の画像データに明るさ補正および色補正の少なくとも一方を行うものである。
【００１３】
第２の発明による画像データ補正装置は，分割後の画像データのデータ量が分割前の画像データのデータ量以下となるサブバンド分割を，与えられる画像データについて行うサブバンド分割手段，上記サブバンド分割手段によりサブバンド分割された相対的に高周波の画像データまたは相対的に低周波の画像データについて画像補正を行う画像補正手段，および上記画像補正手段によって画像補正された画像データについて上記サブバンド分割手段におけるサブバンド分割に対応するサブバンド分割を行うサブバンド合成手段を備えていることを特徴とする。
【００１４】
第２の発明は，上記画像データ補正装置に適した方法も提供している。すなわち，分割後の画像データのデータ量が分割前の画像データのデータ量以下となるサブバンド分割を，与えられる画像データについて行い，サブバンド分割された相対的に高周波の画像データまたは相対的に低周波の画像データについて画像補正を行い，画像補正された画像データについて上記サブバンド分割に対応するサブバンド合成を行うものである。
【００１５】
第２の発明によると，相対的に高周波の画像データまたは相対的に低周波の画像データについて画像補正が行われる。画像データのすべてに補正をした場合にくらべて補正すべきデータ量が少なくなるので，迅速に補正処理を終了することができる。
【００１６】
上述したように，分割後の画像データのデータ量が分割前の画像データのデータ量と等しくなるようにサブバンド分割を，与えられる画像データについて行なうようにしてもよい。
【００１７】
【実施例の説明】
図１は，この発明の実施例を示すもので，画像データ変換装置の電気的構成を示すブロック図である。
【００１８】
画像データ変換装置の全体の動作は，制御装置６によって統括される。制御装置６によって，後述するシャープネス補正回路２，色補正回路３および明るさ補正回路４における各補正処理が制御（補正の実施，停止を含む）される。
【００１９】
補正対象となるカラー画像データ（入力画像データ）が与えられ，ウェーブレット（ｗａｖｅｌｅｔ）変換回路１に入力する。ウェーブレット変換回路１においてウェーブレット変換（サブバンド分割：時間領域を保持しつつデータ量が減った複数の周波数帯（サブバンド）にデータを分割するもの）が行われる。
【００２０】
ウェーブレット変換が行われた画像データのうち高周波数成分の画像データ（高周波画像データ）は，シャープネス補正回路２に入力し，シャープネス補正が行われる。シャープネス補正回路２から出力された高周波画像データは，逆ウェーブレット変換回路５に入力する。
【００２１】
ウェーブレット変換が行われた画像データのうち低周波数成分の画像データ（低周波画像データ）は，色補正回路（色バランス補正回路）３に入力し，色補正が行われる。色補正回路３において色補正された低周波画像データは，明るさ補正回路４に入力する。明るさ補正回路（階調補正回路）４において，画像の明るさ補正が行われる。明るさ補正が行われた低周波画像データも，逆ウェーブレット変換回路５に入力する。
【００２２】
逆ウェーブレット変換回路５において，入力した高周波画像データおよび低周波画像データが逆ウェーブレット変換（サブバンド合成）が行われる。逆ウェーブレット変化回路５から補正済みの画像データが出力される（出力画像データ）。
【００２３】
入力画像データのデータ量と，低周波画像データのデータ量と高周波画像データのデータ量との合計のデータ量と，は等しい。上述のように，高周波画像データと低周波画像データとに分けてそれぞれの補正処理を行なうことにより，補正すべき画像データのデータ量は周波数変換前の画像データのすべてについてシャープネス補正，色補正および明るさ補正を行った場合に比べて少なくなるので補正時間を短縮できる。
【００２４】
上述した実施例においては，シャープネス補正，色補正および明るさ補正のすべての補正を行っているが，これらの補正のうち少なくとも１つの補正が行われるようにしてもよい。
【００２５】
また，低周波画像データについては，シャープネス補正が行われず，高周波画像データについては，色補正および明るさ補正が行われていないが，シャープネス補正は低周波画像データについて行われればよく，色補正および明るさ補正は，高周波画像データについて行われればよいことが経験的に分かったので，得られる画像は比較的画質のよいものとなる。
【００２６】
さらに，与えられる画像データのすべてについて一律に色補正および明るさ補正が行われると，ノイズ成分が強調されることがある。成分ノイズは，高周波画像データに含まれるが，高周波画像データについては色補正および明るさ補正が行われないので，ノイズが強調されてしまうことを未然に防止できる。
【００２７】
さらに上述した実施例においてはカラー画像データについて補正処理が行われているが，白黒画像データに補正処理が行われるようにしてもよい。この場合，色補正は行われないこととなろう。
【００２８】
図２は，画像補正処理の処理手順を示すフローチャートである。
【００２９】
補正対象となる画像データが与えられると，ウェーブレット変換が行われる（ステップ１１）。ウェーブレット変換された画像データのうち，低周波画像データと高周波画像データとに分けられる（ステップ１２）。
【００３０】
低周波画像データについては，色補正が行われる（ステップ１３）。色補正が行われた画像データは，さらに明るさ補正が行われる（ステップ１４）。高周波画像データについては，シャープネス補正が行われる（ステップ１５）。
【００３１】
色補正および明るさ補正が行われた低周波画像データおよびシャープネス補正が行われた高周波画像データについて逆ウェーブレット変換が行われる（ステップ１６）。
【００３２】
上述した実施例においては，各処理をハードウエアにより実現しているが，ソフトウエアにより実現するようにしてもよい。
【図面の簡単な説明】
【図１】画像データ補正装置の電気的構成を示すブロック図である。
【図２】画像データ補正処理手順を示すフローチャートである。
【符号の説明】
１  ウェーブレット変換回路
２  シャープネス補正回路
３  色補正回路
４  明るさ補正回路
５  逆ウェーブレット変換回路
６  制御装置
【図１】
2004153473.tif 000003
【図２】
2004153473.tif 000004